(57)【要約】      （修正有）【課題】キーを押す感覚が指に伝わりやすい手袋の指部分又は指サックに装着する突起物を提供する。【解決手段】一端に凸状の第１の突起２１を有する管状体２０と、管状体２０の内径以下の直径を有し、一端に凸状の第２の突起３１を有する円筒形状体３０とを有し、手袋の指部分又は指サックに貫通孔を設け、手袋の指部分又は指サックの外側から管状体２０をこの貫通孔に挿通し、この挿通した管状体２０に円筒形状体３０を嵌合させることにより取り付ける。第１の突起２１は透明な材質により形成される。第１の突起２１は、内部に防水液と、第１の突起２１と管状体２０の管部との接合部分付近に防水液を漏出する漏出孔とを有し、管状体２０に円筒形状体２０を嵌合させたとき、円筒形状体３０が防水液を漏出孔から押し出す。【選択図】図１
0003138887.tif 000002
【実用新案登録請求の範囲】
【請求項１】
一端に凸状の第１の突起を有する管状体と、
前記管状体の内径以下の直径を有し、一端に凸状の第２の突起を有する円筒形状体と、
を有する、手袋の指部分又は指サックに装着する突起物。
【請求項２】
一端に凸状の第１の突起を有する管状体と、
前記管状体の内径以下の直径を有し、一端に凸状の第２の突起を有する円筒形状体と、
を有し、
手袋の指部分又は指サックに貫通孔を設け、手袋の指部分又は指サックの外側から前記管状体を前記貫通孔に挿通し、この挿通した前記管状体に前記円筒形状体を嵌合させることにより取り付ける、手袋の指部分又は指サックに装着する突起物。
【請求項３】
前記第１の突起が透明な材質により形成されることを特徴とする、請求項１又は請求項２に記載の、手袋の指部分又は指サックに装着する突起物。
【請求項４】
前記第１の突起が、内部に防水液と、前記第１の突起と前記管状体の管部との接合部分付近に前記防水液を漏出する漏出孔と、を有し、
前記管状体に前記円筒形状体を嵌合させたとき、前記円筒形状体が前記防水液を前記漏出孔から押し出す、ことを特徴とする請求項１乃至３のいずれか１項に記載の、手袋の指部分又は指サックに装着する突起物。
【請求項５】
前記管状体に挿通される環状のパッキングをさらに有することを特徴とする請求項１乃至４のいずれか１項に記載の、手袋の指部分又は指サックに装着する突起物。
【請求項６】
請求項１乃至請求項５のいずれか１項に記載の、手袋の指部分又は指サックに装着する突起物を有する手袋。
【請求項７】
請求項１乃至請求項５のいずれか１項に記載の、手袋の指部分又は指サックに装着する突起物を有する指サック。
【考案の詳細な説明】
【技術分野】
【０００１】
本考案は、スキーやスノーボードやオートバイなどに用いられる手袋や事務用指サックに装着する、携帯電話のキーを押下するための突起物、及びこの突起物を有する手袋及び指サックに関する。
【背景技術】
【０００２】
スキーやスノーボードやオートバイなど用いられる手袋や事務用指サックは生地が厚い。このため、装着した時に細かい作業がしにくく、特に携帯電話を操作することは困難であるという問題点があった。
【０００３】
この点に関し特許文献１には、突起物を有する指圧用の手袋が提案されている。
【０００４】
しかし、この指圧用の手袋の構成によっては手袋内部が平坦であるために、キーを押す際の微妙な感触が指に伝わらず、操作しづらいという問題点があった。
【０００５】
さらに、雨や溶けた雪が突起物の付け根からしみ込むという問題点があった。
【特許文献１】特開２００６−２６３１３３号公報
【考案の開示】
【考案が解決しようとする課題】
【０００６】
本考案は上記のような問題点に鑑みてなされたものであり、キーを押す感覚が指に伝わりやすい手袋の指部分又は指サックに装着する突起物、及びこの突起物を有する手袋及び指サックを提供することを目的とする。
【課題を解決するための手段】
【０００７】
この目的を達成するために、本考案は一端に凸状の第１の突起を有する管状体と、管状体の内径以下の直径を有し、一端に凸状の第２の突起を有する円筒形状体と、を有し、手袋の指部分又は指サックに貫通孔を設け、手袋の指部分又は指サックの外側から管状体を貫通孔に挿通し、この挿通した管状体に円筒形状体を嵌合させることにより取り付ける、手袋の指部分又は指サックに装着する突起物、及びこの突起物を有する手袋及び指サックを提供する。
【考案の効果】
【０００８】
本考案の手袋の指部分又は指サックに装着する突起物は、キーを押す際の微妙な感触が指に伝わり、操作しやすいという効果がある。第１の突起が透明な材質によって形成されているため、キーを押下する操作をする時、キーを見やすいという効果がある。また、装着した時に防水液が押し出されるため、雨や溶けた雪が突起物の付け根からしみ込むことを防止できるという効果がある。
【考案を実施するための最良の形態】
【０００９】
本発明の手袋の指部分又は指サックに装着する突起物の一実施形態を、図面を用いて説明する。図１は本実施形態の手袋の指部分又は指サックに装着する突起物（以下、単に突起物という。）の斜視図である。
【００１０】
図１に示すように、本実施形態の突起物１０は、一端に凸状の第１の突起２１を有する管状体２０と、管状体２０の内径以下の直径を有し、一端に凸状の第２の突起３１を有する円筒形状体３０と、を備える。
【００１１】
第１の突起２１及び第２の突起３１は、それぞれ半球形であることが望ましいが、この形状に限られるものではない。
【００１２】
突起物１０は、手袋の指部分又は指サックに貫通孔を設け、手袋の指部分又は指サックの外側から管状体２０をこの貫通孔に挿通し、この挿通した管状体２０に円筒形状体３０を嵌合させることにより取り付ける。
【００１３】
突起物１０は、管状体２０の管部の内部に凸部２２を備え、円筒形状体３０の円筒形状部分に凸部２２と嵌合する凹部３２を設け、管状体２０と円筒形状体３０とを嵌め合せた時に、凸部２２と凹部３２が嵌め合わさって抜けにくくなるように構成することもできる。
【００１４】
図２は、突起物１０を手袋の指部分又は指サック４０を取り付けた状態を示した断面図である。図２に示すように、突起物１０は指４１に接触し、キーを押したときの感覚が指によく伝わる。
【００１５】
第１の突起２１は、押下するキーが見えるような透明な材質によって形成されることが望ましい。透明な材質には、透明な合成樹脂などを用いることができる。
【００１６】
図３は、防水液を有する突起物１０を示した断面図である。図３に示すように、第１の突起２１は、内部に防水液２３と、第１の突起２１と管状体２０の管部との接合部分付近に防水液２３を漏出する漏出孔２４と、を有する。ここで、接合部分付近には管部も含むものとする。
【００１７】
防水液２３は、シリコンオイルのような油脂や、フッ素樹脂を含む揮発性溶剤などを用いることができるが、これらに限られるものではない。
【００１８】
管状体２０に円筒形状体３０を嵌合させたとき、円筒形状体３０が防水液２３を漏出孔２４から押し出す。このため、雨や溶けた雪が突起物１０の付け根からしみ込むことを防止できる。
【００１９】
図４は、環状のパッキング５０を備える例を示した斜視図である。図４に示すように、突起物１０は管状体に挿通される環状のパッキング５０を備えていてもよい。環状のパッキング５０はゴムなどの弾性体により形成することが望ましい。この環状のパッキング５０により、雨や溶けた雪が突起物１０の付け根からしみ込むことを防止できる。
【００２０】
以上述べたように、本実施形態の突起物１０、及びこの突起物１０を有する手袋及び指サック４０おいては指に当たる第２の突起３１を備える。このため、キーを押す際の微妙な感触が指に伝わり、操作しやすいという効果がある。また、第１の突起２１が透明な材質によって形成されているため、キーを押下する操作をする時、キーを見やすいという効果がある。また、装着した時に防水液２３が押し出されるため、雨や溶けた雪が突起物１０の付け根からしみ込むことを防止できるという効果がある。
【産業上の利用可能性】
【００２１】
本考案は、スキーやスノーボードやオートバイ用の手袋、事務用指サックのみならず、一般的な手袋用の突起物として利用できる。
【図面の簡単な説明】
【００２２】
【図１】本実施形態の突起物の斜視図である。
【図２】突起物を手袋の指部分又は指サックに取り付けた状態を示した断面図である。
【図３】防水液を有する突起物を示した断面図である。
【図４】環状のパッキングを備える例を示した斜視図である。
【符号の説明】
【００２３】
１０：突起物、
２０：管状体、
２１：第１の突起、
２２：凸部、
２３：防水液、
２４：漏出孔、
３０：円筒形状体、
３１：第２の突起、
３２：凹部、
４０：手袋の指部分又は指サック、
４１：指、
５０：環状のパッキング。
【図１】
0003138887.tif 000003
【図２】
0003138887.tif 000004
【図３】
0003138887.tif 000005
【図４】
0003138887.tif 000006